(57)【特許請求の範囲】
【請求項１】
作業装置が取付けられるフレームと、該フレーム上に搭載されたエンジンと、該エンジンを覆うように前記フレーム上に設けられた外装カバーと、該外装カバーの一部をなし、前記エンジンを含む機器の点検作業を行なうときに開閉される点検用ドアとを備えてなる建設機械において、
前記点検用ドアは、左，右方向の一側を支点として取付けられた横開き式のドアとして構成し、この横開き式のドアの内面側には洗浄液、ブレーキ液、ラジエータの冷却液のうちいずれかの液体の補充が可能となった液体タンクを設けたことを特徴とする建設機械。
【請求項２】
前記フレーム上には運転席を覆うキャブボックスを設け、前記液体タンクは前記キャブボックスの前面ガラスを洗浄する洗浄液を収容するものである請求項１に記載の建設機械。
【請求項３】
前記点検用ドアには前記液体タンクが取付けられるタンク取付座を設けてなる請求項１または２に記載の建設機械。
【発明の詳細な説明】
【０００１】
【発明の属する技術分野】
本発明は、例えば油圧ショベル、油圧クレーン等の建設機械に関し、特に、ガラスを洗浄するための洗浄液等の液体を収容する液体タンクを備えた建設機械に関する。
【０００２】
【従来の技術】
一般に、油圧ショベル等の建設機械は、下部走行体と、該下部走行体上に旋回可能に搭載された上部旋回体と、該上部旋回体の前部に設けられた作業装置とによって大略構成されている。
【０００３】
また、上部旋回体は、前側に作業装置が取付けられる旋回フレームと、該旋回フレームの前部左側に設けられ、運転席を覆ったキャブボックスと、前記旋回フレームの後端部に取付けられたカウンタウェイトと、前記キャブボックスの後側に位置して旋回フレームに搭載されたエンジンと、該エンジンに附随して設けられた油圧ポンプ、ラジエータ、オイルクーラと、作業装置を挟んで前記キャブボックスの右側に設けられた作動油タンク、燃料タンクおよび制御弁装置等と、前記エンジンを含む機器を覆うように前記旋回フレーム上に設けられた外装カバーとによって大略構成され、前記外装カバーには、エンジンを含む機器の点検作業を行なったり、メンテナンス作業を行なうための点検用ドアが開閉可能に設けられている。
【０００４】
また、キャブボックスを備えた油圧ショベルは、キャブボックスの前面ガラスに洗浄液を吹き付け、この洗浄液によって前面ガラスの汚れを取るようにしている。従って、この油圧ショベルは、洗浄液を収容する洗浄液タンクを有し、該洗浄液タンクは、注ぎ口を閉じているキャップを取外すことにより、この注ぎ口から洗浄液を補充することができる。
【０００５】
ここで、洗浄液タンクは、例えばキャブボックス内の隅や外装カバー内に配設されている。このため、洗浄液タンクの周囲や上側には、洗浄液の補充作業を行なうための空間を確保するのが難しく、補充作業を容易に行なうことができない。また、外装カバー内に洗浄液タンクを配置した場合には、メンテナンス作業等の邪魔になってしまう。
【０００６】
そこで、洗浄液タンクをキャブボックス内、外装カバー内と異なる他の場所に配設した油圧ショベルがあり、この従来技術による油圧ショベルは、例えば実開平６−３２２３４号公報等によって知られている。この従来技術による油圧ショベルは、キャブボックスの底面をなす床板下面部に洗浄液タンクを配設し、床板には補充用の穴を設ける構成としている。
【０００７】
そして、洗浄液タンクに洗浄液を補充するときには、床板上を覆うフロアマットを大きく捲り上げるか、取外して補充用の穴を開放し、洗浄液を充填したジョッキをキャブボックス内に持ち込んで、洗浄液タンクに洗浄液を補充する。
【０００８】
【発明が解決しようとする課題】
ところで、上述した実開平６−３２２３４号公報による油圧ショベルは、床板下面部に洗浄液タンクを配設しているから、洗浄液を補充するときに作業者は、床板上を覆うフロアマットを大きく捲り上げるか、取外す必要があり、補充作業に手間を要するという問題がある。
【０００９】
しかも、洗浄液を補充するときに洗浄液をこぼした場合には、洗浄液がキャブボックス内にこぼれるから、こぼれた洗浄液をふき取らなくてはならないという問題がある。
【００１０】
本発明は上述した従来技術の問題に鑑みなされたもので、本発明の目的は、液体の補充作業を容易に行なうことができ、また液体をこぼした場合でもふき取り作業を不要とすることができるようにした建設機械を提供することにある。
【００１１】
【課題を解決するための手段】
本発明による建設機械は、作業装置が取付けられるフレームと、該フレーム上に搭載されたエンジンと、該エンジンを覆うように前記フレーム上に設けられた外装カバーと、該外装カバーの一部をなし、前記エンジンを含む機器の点検作業を行なうときに開閉される点検用ドアとを備えている。
【００１２】
そして、上述した課題を解決するために、請求項１による発明が採用する構成の特徴は、点検用ドアは、左，右方向の一側を支点として取付けられた横開き式のドアとして構成し、この横開き式のドアの内面側には洗浄液、ブレーキ液、ラジエータの冷却液のうちいずれかの液体の補充が可能となった液体タンクを設けたことにある。
【００１３】
このように構成したことにより、点検用ドアを閉じた状態では、液体タンクは外装カバー内に収容することができる。一方、液体タンクに洗浄液、ブレーキ液、ラジエータの冷却液のうちいずれかの液体を補充するときには、点検用ドアを開くことにより液体タンクを外装カバーの外部に取出す。これにより、液体タンクは、外装カバーの外側の広い空間に配置されるから、液体の補充作業を容易に行なうことができる。また、液体を補充するときに液体が周囲にこぼれてしまっても、こぼれた液体は外部に落ちるだけであるから、ふき取り作業を省略することができる。さらに、点検用ドアは、横方向（水平方向）に開くことができるから、該点検用ドアに取付けられた液体タンクは、その注ぎ口が上側に配置されたままの安定した状態で移動することができる。
【００１４】
しかも、点検作業を行なうために点検用ドアを開いたときには、液体タンクが外装カバーの外部に移動されるから、外装カバー内には液体タンクを収容していた分の空間を形成することができ、この空間を利用して点検作業等を容易に行なうことができる。
【００１６】
請求項２の発明によると、フレーム上には運転席を覆うキャブボックスを設け、液体タンクは前記キャブボックスの前面ガラスを洗浄する洗浄液を収容するものとしたことにある。
【００１７】
このように構成したことにより、洗浄液タンクに洗浄液を簡単な作業で充填することができる。そして、洗浄液タンクからキャブボックスの前面ガラスに洗浄液を噴霧することにより、前面ガラスを洗浄することができる。
【００１８】
請求項３の発明によると、点検用ドアには液体タンクが取付けられるタンク取付座を設けたことにある。これにより、液体タンクは、取付座を介して点検用ドアに取付けることができるから、例えばフレーム、外装カバー等に別途設けられていた液体タンクを取付けるためのブラケットを廃止することができる。
【００１９】
【発明の実施の形態】
以下、本発明の実施の形態による建設機械として油圧ショベルを例に挙げ、図１ないし図６に従って詳細に説明する。
【００２０】
１は油圧ショベルの下部走行体、２は該下部走行体１上に旋回可能に搭載された上部旋回体で、該上部旋回体２の前部側には土砂の掘削作業等を行なうための作業装置３が俯仰動可能に設けられている。
【００２１】
ここで、上部旋回体２は、図２に示すように、前部側に作業装置３が取付けられた旋回フレーム４と、該旋回フレーム４の前部左側に設けられ、運転席（図示せず）を覆ったキャブボックス５と、前記旋回フレーム４の後部に設けられたカウンタウェイト６と、前記キャブボックス５の後側に位置して前記旋回フレーム上に搭載されたエンジン７と、該エンジン７に設けられた油圧ポンプ８と、前記エンジン７を挟んで油圧ポンプ８の反対側に配設されたラジエータ９Ａ、オイルクーラ９Ｂ等の熱交換器９と、前記キャブボックス５の右側に位置して前記旋回フレーム４上に設けられた作動油タンク１０、燃料タンク１１と、該各タンク１０，１１の前側に配設された制御弁装置１２と、後述の外装カバー１３、洗浄液タンク２３等とによって大略構成されている。そして、エンジン７を含み、油圧ポンプ８、熱交換器９、作動油タンク１０、燃料タンク１１、制御弁装置１２等の機器は、外装カバー１３によって覆われている。
【００２２】
１３は旋回フレーム４上に設けられた外装カバーで、該外装カバー１３は、キャブボックス５の後側から右側に亘って設けられ、旋回フレーム４に取付けられたカバー支持体（図示せず）に支持されている。そして、外装カバー１３は、後述のエンジンカバー１４、タンクカバー１５、点検用ドア１６等によって構成されている。
【００２３】
１４はキャブボックス５の後側に設けられたエンジンカバーで、該エンジンカバー１４は、カウンタウェイト６に沿った円弧状に形成され、該カウンタウェイト６と協働してエンジン７、油圧ポンプ８、熱交換器９等を覆っている。また、エンジンカバー１４は、上面側の前端部が旋回フレーム４側のカバー支持体に回動可能に取付けられ、これにより、上，下方向に開閉可能な縦開き式のカバーをなしている。また、エンジンカバー１４には、左，右方向の左側に位置して複数のスリットからなる吸気口１４Ａと、左，右方向の右側に位置して排気口（図示せず）が設けられている。さらに、エンジンカバー１４には、前記吸気口１４Ａの下側に位置して後述の点検用ドア１６が収まるＬ字状の切込み部１４Ｂが形成されている。
【００２４】
１５はエンジンカバー１４の右部前側に設けられたタンクカバーで、該タンクカバー１５は、前側から後側に向けて漸次膨らみをもって形成されている。そして、タンクカバー１５は、作動油タンク１０、燃料タンク１１、制御弁装置１２等を覆っている。
【００２５】
一方、１６はエンジンカバー１４（カウンタウェイト６）の左側に設けられ、例えば樹脂材料を用いて形成された点検用ドアで、該点検用ドア１６は、図３に示すように、カウンタウェイト６に沿って円弧状に湾曲したほぼ長方形状の板体として形成されている。また、点検用ドア１６には複数のスリットからなる吸気口１６Ａが設けられている。そして、点検用ドア１６は、左，右方向の左端側が蝶番１７，１７を介して旋回フレーム４に立設された支柱１８に回動可能に取付けられ、これによって横開き式のドアとして形成されている。また、点検用ドア１６の右端側には、該ドア１６をキー操作によって施錠、解錠するロック装置１９が設けられている。さらに、点検用ドア１６の左側には、後述のタンク取付座２０が設けられている。
【００２６】
２０，２０は点検用ドア１６の左側に一体成形された２個のタンク取付座で、該各タンク取付座２０には、後述する洗浄液タンク２３が取付けられる。また、各タンク取付座２０は、上，下方向に離間して内側に突出する円柱状をなし、その内部にはインサートナット２０Ａが埋設されている。
【００２７】
点検用ドア１６は、このように構成されるもので、通常はカウンタウェイト６の切込み部６Ａ、エンジンカバー１４の切込み部１４Ｂに収まるように閉じられ、ロック装置１９によって施錠される。一方、洗浄液タンク２３への洗浄液の補充作業、エンジン７等の点検作業を行なう場合には、ロック装置１９を解錠し、右側を引張ることにより、図３に示すように開くことができる。
【００２８】
２１は点検用ドア１６のタンク取付座２０，２０にボルト２２，２２を介して固定されたブラケットで、該ブラケット２１の外周側は、図４、図５に示すように、洗浄液タンク２３の嵌合溝部２３Ｂに差込まれる差込み鍔部２１Ａとなっている。
【００２９】
２３は点検用ドア１６の内面側に取付けられた液体タンクとしての洗浄液タンクで、該洗浄液タンク２３は、キャブボックス５の前面ガラス５Ａ（図２中に図示）を洗浄するための洗浄液を貯留するものである。また、洗浄液タンク２３の上側には、キャップ２４によって開閉される注ぎ口２３Ａが設けられ、洗浄液タンク２３の背面側には、図４、図６に示す如く、嵌合溝部２３Ｂが設けられている。そして、洗浄液タンク２３は、嵌合溝部２３Ｂをブラケット２１の差込み鍔部２１Ａに上側から嵌合することにより、ブラケット２１、タンク取付座２０を介して点検用ドア１６に取付けられている。また、洗浄液タンク２３は、ゴムホースを介して前面ガラス５Ａに洗浄液を噴出する洗浄液供給ポンプ（いずれも図示せず）に接続されている。
【００３０】
ここで、洗浄液タンク２３は、点検用ドア１６を閉じた状態では、図２に示すように外装カバー１３内に収容されている。一方、点検用ドア１６を開いたときには、図３に示すように外装カバー１３の外部に取出すことができ、この状態で洗浄液の補充作業が行なわれる。
【００３１】
本実施例による油圧ショベルは、上述の如き構成を有するもので、次に、洗浄液タンク２３に洗浄液を補充する作業、エンジン７等の点検作業について説明する。
【００３２】
まず、洗浄液タンク２３への洗浄液の補充作業について説明する。この場合には、ロック装置１９を解錠し、点検用ドア１６の右側を手前に引張ることにより、図３に示す如く、点検用ドア１６を開くことができる。このときに洗浄液タンク２３は、点検用ドア１６と一緒に移動し、該ドア１６を開いたときには、外装カバー１３の外部に配置される。これにより、洗浄液タンク２３の周囲や上方には広い空間が設けられるから、作業者は、洗浄液タンク２３のキャップ２４を外すことにより、ジョッキ等に充填した洗浄液を注ぎ口２３Ａから容易に補充することができる。
【００３３】
また、洗浄液を洗浄液タンク２３に補充しているときに、誤って洗浄液をこぼした場合でも、こぼれた洗浄液は、外部に垂れ落ちるだけであるから、ふき取り作業を行なう必要はない。
【００３４】
そして、洗浄液を洗浄液タンク２３に補充したら、キャップ２４を閉じ、点検用ドア１６を閉じることにより、洗浄液タンク２３は外装カバー１３内に収容することができる。
【００３５】
次に、エンジン７等の点検作業について説明する。この場合には、洗浄液の補充作業と同様に、点検用ドア１６を開くことによりエンジン７等の点検作業を行なうことができる。しかも、この点検作業時には、外装カバー１３内に収容されていた洗浄液タンク２３が点検用ドア１６によって外部に移動されるから、外装カバー１３内には洗浄液タンク２３を収容していた分の空間が形成される。これにより、作業者は、この空間を利用して各部を容易に点検することができる。
【００３６】
以上のように、本実施の形態によれば、洗浄液タンク２３は、点検用ドア２３の内面側に取付け、該点検用ドア１６を閉じた状態では外装カバー１３内に収容し、点検用ドア１６を開いたときには外装カバー１３の外部に取出す構成としている。従って、洗浄液タンク２３に洗浄液を補充するときには、点検用ドア１６を開いて洗浄液タンク２３を外部に取出すことにより、作業者は、広い空間に配置された洗浄液タンク２３に洗浄液を容易に補充することができ、作業性を向上することができる。
【００３７】
しかも、洗浄液を補充しているときに、洗浄液がこぼれるような事態が生じても、こぼれた洗浄液は外部に落ちるだけであるから、このときのふき取り作業を省略することができる。
【００３８】
一方、点検作業を行なうために点検用ドア１６を開いたときに、外装カバー１３内には、洗浄液タンク２３を収容していた分の空間を形成することができるから、この空間を利用して点検作業等を容易に行なうことができる。
【００３９】
また、点検用ドア１６は、水平方向に開閉する横開き式のドアとしているから、洗浄液タンク２３の注ぎ口２３Ａを上側に配置したままの状態で該洗浄液タンク２３を安定して移動することができる。これにより、洗浄液は、点検用ドア１６の開閉時にこぼれることがないから、作業者は作業を円滑に行なうことができる。
【００４０】
さらに、点検用ドア１６には洗浄液タンク２３が取付けられるタンク取付座２０を一体的に設けているから、例えば旋回フレーム４側に別途設けられていたブラケットを廃止することができ、構成を簡略化することができる。
【００４１】
なお、実施の形態では、液体タンクとしてキャブボックス５の前面ガラス５Ａを洗浄する洗浄液を貯留する洗浄液タンク２３を例に挙げて説明したが、本発明はこれに限らず、例えばブレーキ液のリザーバタンク、ラジエータ９Ａの冷却液のリザーバタンク等の他の液体タンクに適用してもよい。
【００４２】
また、実施の形態では、点検用ドア１６はエンジンカバー１４（カウンタウェイト６）の左側に設けるものとして述べたが、本発明はこれに限るものではなく、例えばエンジンカバー１４の右側、後側に点検用ドアを設け、該点検用ドアに液体タンクを取付ける構成としてもよい。さらに、タンクカバー１５に点検用ドアを設け、該点検用ドアに液体タンクを取付ける構成としてもよい。
【００４３】
また、実施の形態では、運転席を覆うキャブボックス５を備えた油圧ショベルを例に挙げて説明したが、本発明はこれに限らず、例えば運転席の上方のみを覆うキャノピを備えた油圧ショベルに適用してもよく、また油圧クレーン、ブルドーザ等の他の建設機械に適用してもよい。
【００４４】
さらに、実施の形態では、点検用ドア１６は樹脂材料を用いて形成した場合を例示したが、点検用ドア１６は、金属板にプレス加工を施すことによって形成してもよい。
【００４５】
【発明の効果】
以上詳述した通り、請求項１の発明によれば、点検用ドアの内面側には洗浄液、ブレーキ液、ラジエータの冷却液のうちいずれかの液体の補充が可能となった液体タンクを設けているので、点検用ドアを閉じた状態では、液体タンクは外装カバー内に収容することができる。一方、液体タンクに液体を補充するときには、点検用ドアを開くことにより液体タンクを外装カバーの外部に取出すことができる。これにより、液体タンクは、外装カバーの外側の広い空間に配置することができるから、液体の補充作業を容易に行なうことができ、作業性を向上することができる。また、液体を補充するときに液体が周囲にこぼれてしまっても、こぼれた液体は外部に落ちるだけであるから、ふき取り作業を省略することができる。
【００４６】
しかも、点検作業を行なうために点検用ドアを開いたときには、液体タンクは外装カバーの外部に移動することができる。これにより、外装カバー内には液体タンクを収容していた分の空間を形成することができるから、作業者は、この空間を利用して点検作業等を容易に行なうことができる。
【００４７】
また、請求項１の発明によれば、点検用ドアは、左，右方向の一側を支点として取付けられた横開き式のドアとしているので、点検用ドアは横方向（水平方向）に開くことができる。これにより、点検用ドアに取付けられた液体タンクは、その注ぎ口が上側に配置されたままの安定した状態で移動されるから、点検用ドア１６の開閉時には液体がこぼれることがなく、作業者は作業を円滑に行なうことができる。
【００４８】
請求項２の発明によれば、フレーム上には運転席を覆うキャブボックスを設け、液体タンクは前記キャブボックスの前面ガラスを洗浄する洗浄液を収容するものとしているので、洗浄液タンクに対して洗浄液を簡単な作業で充填することができる。そして、洗浄液タンクからキャブボックスの前面ガラスに洗浄液を噴霧することにより、前面ガラスを洗浄することができる。
【００４９】
請求項３の発明によれば、点検用ドアには液体タンクが取付けられるタンク取付座を設けているので、液体タンクは、取付座を介して点検用ドアに取付けることができるから、例えばフレーム、外装カバー等に別途設けられていた液体タンクを取付けるためのブラケットを廃止することができ、構成を簡略化することができる。
【図面の簡単な説明】
【図１】本発明の実施の形態に適用される油圧ショベルを示す正面図である。
【図２】図１中の上部旋回体を示す平面図である。
【図３】点検用ドアを開いた状態で拡大して示す外観斜視図である。
【図４】点検用ドアに対する洗浄液タンクの取付状態を図３中の矢示IV−IV方向からみた拡大断面図である。
【図５】洗浄液タンクを取外した点検用ドアを開いた状態で拡大して示す外観斜視図である。
【図６】洗浄液タンクを単体で図４中の矢示VI−VI方向からみた外観図である。
【符号の説明】
３  作業装置
４  旋回フレーム
５  キャブボックス
５Ａ  前面ガラス
７  エンジン
８  油圧ポンプ
９  熱交換器
１０  作動油タンク
１１  燃料タンク
１２  制御弁装置
１３  外装カバー
１６  点検用ドア
２０  タンク取付座
２３  洗浄液タンク（液体タンク）
２３Ａ  注ぎ口
【図１】
0003655537.tif 000002
【図２】
0003655537.tif 000003
【図３】
0003655537.tif 000004
【図４】
0003655537.tif 000005
【図５】
0003655537.tif 000006
【図６】
0003655537.tif 000007